(57)【要約】【課題】刈取前処理装置の前部を左右方向に繰り返して回動することができるコンバインを提供する。【解決手段】刈取前処理装置（５）のフィーダハウス（５Ａ）の左壁の後部を機体フレーム（２）に立設する第１支持部材（１１）に回転自在に連結し、フィーダハウス（５Ａ）の右壁の後部に上下方向に延在する第２支持部材（１５）を連結し、第１支持部材（１１）と第２支持部材（１５）の下部を連結棒（２０）で連結し、第２支持部材（１５）の下部に機体フレーム（２）の上面を転動するローラ（１６）を設けることにより解決される。【選択図】図７
2017060415.tif 000002
【特許請求の範囲】
【請求項１】
機体フレーム（２）の左側に脱穀装置（４）を配置し、該脱穀装置（４）の前側に刈取前処理装置（５）を配置したコンバインにおいて、
該刈取前処理装置（５）のフィーダハウス（５Ａ）の左壁の後部を機体フレーム（２）に立設する第１支持部材（１１）に回転自在に連結し、前記フィーダハウス（５Ａ）の右壁の後部に上下方向に延在する第２支持部材（１５）を連結し、前記第１支持部材（１１）と第２支持部材（１５）の下部を連結棒（２０）で連結し、前記第２支持部材（１５）の下部に機体フレーム（２）の上面を転動するローラ（１６）を設けたことを特徴とするコンバイン。
【請求項２】
前記第１支持部材（１１）を機体フレーム（２）に固定されたフランジ（１２）に立設する内支柱（１３）と該内支柱（１３）に回転自在に外嵌された外筒支柱（１４）から形成し、該フランジ（１２）の上面に外筒支柱（１４）の下部を上載した請求項１記載のコンバイン。
【請求項３】
前記第２支持部材（１５）の上部にフィーダハウス（５Ａ）の後部と脱穀装置（４）を固定するロック部（１９Ａ）を設けた請求項１又は２記載のコンバイン。
【請求項４】
前記刈取前処理装置（５）の収納状態時に、前記刈取前処理装置（５）を昇降させるシリンダ（２２）の前部をフィーダハウス（５Ａ）の下壁に設けた前連結部（２７）に回転自在に連結し、前記シリンダ（２２）の後部を機体フレーム（２）に設けた後連結部（２８）に係合し、前記フィーダハウス（５Ａ）の下壁を支持する支持棒（２４）の上部をフィーダハウス（５Ａ）の下壁に設けた中間支持部（２５Ｂ）に回転自在に連結し、前記支持棒（２４）の下部をフィーダハウス（５Ａ）の下壁に設けた前支持部（２５Ａ）に係合し、
前記刈取前処理装置（５）の回動状態時には、前記シリンダ（２２）の後部と後連結部（２８）の係合を解除して、前記シリンダ（２２）の後部をフィーダハウス（５Ａ）の下壁に設けた後支持部（２５Ｃ）に係合し、前記支持棒（２４）の下部と前支持部（２５Ａ）の係合を解除して、前記支持棒（２４）の下部を連結棒（２０）の係合部（２１）に係合させる請求項１〜３のいずれか１項に記載のコンバイン。
【請求項５】
前記支持棒（２４）をシリンダ（２２）の右側に隣接して設けた請求項４記載のコンバイン。
【発明の詳細な説明】
【技術分野】
【０００１】
本発明は、脱穀装置の前側に圃場の穀稈を収穫する刈取前処理装置を備えたコンバインに関する。
【背景技術】
【０００２】
従来、刈取前処理装置のフィーダハウスの左壁の上部を、脱穀装置の前壁に設けられた上下方向に延在する支軸に連結して、エンジン等のメンテナンス作業時に刈取前処理装置の前部を支軸を中心として左側方向に回動する構成が提案されている。
【先行技術文献】
【特許文献】
【０００３】
【特許文献１】特開２００３−３０４７２５号公報
【発明の概要】
【発明が解決しようとする課題】
【０００４】
しかし、従来のコンバインにあっては、刈取前処理装置の重量によって支軸に変形が生じ刈取前処理装置の前部を左右方向に繰り返して回動することができないという問題があった。
そこで、本発明の主たる課題は、刈取前処理装置の前部を左右方向に繰り返して回動することができる構成を提案することにある。
【課題を解決するための手段】
【０００５】
上記課題を解決した本発明は次記のとおりである。
請求項１に係る発明は、機体フレーム（２）の左側に脱穀装置（４）を配置し、該脱穀装置（４）の前側に刈取前処理装置（５）を配置したコンバインにおいて、
該刈取前処理装置（５）のフィーダハウス（５Ａ）の左壁の後部を機体フレーム（２）に立設する第１支持部材（１１）に回転自在に連結し、前記フィーダハウス（５Ａ）の右壁の後部に上下方向に延在する第２支持部材（１５）を連結し、前記第１支持部材（１１）と第２支持部材（１５）の下部を連結棒（２０）で連結し、前記第２支持部材（１５）の下部に機体フレーム（２）の上面を転動するローラ（１６）を設けたことを特徴とするコンバインである。
【０００６】
請求項２に係る発明は、前記第１支持部材（１１）を機体フレーム（２）に固定されたフランジ（１２）に立設する内支柱（１３）と該内支柱（１３）に回転自在に外嵌された外筒支柱（１４）から形成し、該フランジ（１２）の上面に外筒支柱（１４）の下部を上載した請求項１記載のコンバインである。
【０００７】
請求項３に係る発明は、前記第２支持部材（１５）の上部にフィーダハウス（５Ａ）の後部と脱穀装置（４）を固定するロック部（１９Ａ）を設けた請求項１又は２記載のコンバインである。
【０００８】
請求項４に係る発明は、前記刈取前処理装置（５）の収納状態時に、前記刈取前処理装置（５）を昇降させるシリンダ（２２）の前部をフィーダハウス（５Ａ）の下壁に設けた前連結部（２７）に回転自在に連結し、前記シリンダ（２２）の後部を機体フレーム（２）に設けた後連結部（２８）に係合し、前記フィーダハウス（５Ａ）の下壁を支持する支持棒（２４）の上部をフィーダハウス（５Ａ）の下壁に設けた中間支持部（２５Ｂ）に回転自在に連結し、前記支持棒（２４）の下部をフィーダハウス（５Ａ）の下壁に設けた前支持部（２５Ａ）に係合し、前記刈取前処理装置（５）の回動状態時には、前記シリンダ（２２）の後部と後連結部（２８）の係合を解除して、前記シリンダ（２２）の後部をフィーダハウス（５Ａ）の下壁に設けた後支持部（２５Ｃ）に係合し、前記支持棒（２４）の下部と前支持部（２５Ａ）の係合を解除して、前記支持棒（２４）の下部を連結棒（２０）の係合部（２１）に係合させる請求項１〜３のいずれか１項に記載のコンバインである。
【０００９】
請求項５に係る発明は、前記支持棒（２４）をシリンダ（２２）の右側に隣接して設けた請求項４記載のコンバインである。
【発明の効果】
【００１０】
請求項１記載の発明によれば、刈取前処理装置（５）のフィーダハウス（５Ａ）の左壁の後部を機体フレーム（２）に立設する第１支持部材（１１）に回転自在に連結し、フィーダハウス（５Ａ）の右壁の後部に上下方向に延在する第２支持部材（１５）を連結し、第１支持部材（１１）と第２支持部材（１５）の下部を連結棒（２０）で連結し、第２支持部材（１５）の下部に機体フレーム（２）の上面を転動するローラ（１６）を設けているので、刈取前処理装置（５）の重量による第１支持部材（１１）と第２支持部材（１５）の変形を防止することができる。また、第１支持部材（１１）を中心として刈取前処理装置（５）を容易に回動でき、エンジン等のメンテナンス作業を容易に行うことができる。
【００１１】
請求項２記載の発明によれば、請求項１記載の発明の効果に加えて、第１支持部材（１１）を機体フレーム（２）に固定されたフランジ（１２）に立設する内支柱（１３）と内支柱（１３）に回転自在に外嵌された外筒支柱（１４）から形成し、フランジ（１２）の上面に外筒支柱（１４）の下部を上載しているので、第１支持部材（１１）を中心として刈取前処理装置（５）をより容易に回動することができる。
【００１２】
請求項３記載の発明によれば、請求項１又は２記載の発明の効果に加えて、第２支持部材（１５）の上部にフィーダハウス（５Ａ）の後部と脱穀装置（４）を固定するロック部（１９Ａ）を設けているので、刈取前処理装置（５）の収納状態時は、フィーダハウス（５Ａ）の後部と脱穀装置（４）の固定を確実に維持することができる。
【００１３】
請求項４記載の発明によれば、請求項１〜３のいずれか１項に記載の発明の効果に加えて、刈取前処理装置（５）の収納状態時に、刈取前処理装置（５）を昇降させるシリンダ（２２）の前部をフィーダハウス（５Ａ）の下壁に設けた前連結部（２７）に回転自在に連結し、シリンダ（２２）の後部を機体フレーム（２）に設けた後連結部（２８）に係合し、フィーダハウス（５Ａ）の下壁を支持する支持棒（２４）の上部をフィーダハウス（５Ａ）の下壁に設けた中間支持部（２５Ｂ）に回転自在に連結し、支持棒（２４）の下部をフィーダハウス（５Ａ）の下壁に設けた前支持部（２５Ａ）に係合し、刈取前処理装置（５）の回動状態時には、シリンダ（２２）の後部と後連結部（２８）の係合を解除して、シリンダ（２２）の後部をフィーダハウス（５Ａ）の下壁に設けた後支持部（２５Ｃ）に係合し、支持棒（２４）の下部と前支持部（２５Ａ）の係合を解除して、支持棒（２４）の下部を連結棒（２０）の係合部（２１）に係合させているので、刈取前処理装置（５）の回動状態時に、シリンダ（２２）が第２支持部材（１５）の回動の障害になることを防止することができる。また、フィーダハウス（５Ａ）の下壁の中間部と連結棒（２０）を支持棒（２４）で連結して第１支持部材（１１）と第２支持部材（１５）の変形をより防止することができる。
【００１４】
請求項５記載の発明によれば、請求項４記載の発明の効果に加えて、支持棒（２４）をシリンダ（２２）の右側に隣接して設けているので、フィーダハウス（５Ａ）の変形を防止することができる。
【図面の簡単な説明】
【００１５】
【図１】汎用コンバインの正面図である。
【図２】汎用コンバインの左側面図である。
【図３】汎用コンバインの平面図である。
【図４】刈取前処理装置の開閉状態を説明する平面図である。
【図５】刈取前処理装置の開閉機構を説明する左側面図である。
【図６】刈取前処理装置の開閉機構を説明する拡大左側面図である。
【図７】刈取前処理装置の開閉機構を説明する図５のＡ−Ａ矢視図である。
【図８】刈取前処理装置の他の開閉機構を説明する左側面図である。
【図９】刈取前処理装置の他の開閉機構を説明する拡大左側面図である。
【図１０】刈取前処理装置の他の開閉機構を説明する図８のＢ−Ｂ矢視図である。
【図１１】グレンタンクと排出筒の要部右側面図である。
【図１２】グレンタンクの正面図である。
【図１３】グレンタンクの背面図である。
【発明を実施するための形態】
【００１６】
以下、本発明の実施形態について図面を参照しながら説明する。また、本明細書においては、刈取前処理装置の収納状態とは、刈取前処理装置のフィーダハウスの後部を脱穀装置の前壁に連結している状態をいい、刈取前処理装置の開放状態とは、刈取前処理装置のフィーダハウスの後部と脱穀装置の前壁の連結を解除している状態をいい、刈取前処理装置の回動状態とは、刈取前処理装置が収納状態から開放状態又は開放状態から収納状態に向かって回動している状態をいうものとする。なお、理解を容易にするために、操縦者から視て、前方を前側、後方を後側、右手側を右側、左手側を左側として便宜的に方向を示して説明しているが、これらにより構成が限定されるものではない。
【００１７】
図１〜３に示すように、汎用コンバインは、機体フレーム２の下側に土壌面を走行する左右一対のクローラからなる走行装置３を設け、機体フレーム２の上側に脱穀・選別処理を行なう脱穀装置４を設け、脱穀装置４の前側に圃場の穀稈を収穫する刈取前処理装置５が設けられている。
【００１８】
脱穀装置４で脱穀・選別処理された穀粒は、脱穀装置４の右側に設けられたグレンタンク６に貯留され、貯留された穀粒は、揚穀用排出筒７Ａと排出用排出筒７Ｂからなる排出筒７により外部へ排出される。また、グレンタンク６の前側には、操縦者が搭乗する操縦部８が設けられている。
【００１９】
＜刈取前処理装置＞
図１〜３に示すように、刈取前処理装置５は、フィーダハウス５Ａと、オーガ装置５Ｂと、刈刃装置５Ｃと、掻込み装置５Ｄから構成されており、必要に応じてオーガ装置５Ｂの未刈取り側である左壁の上側に略上下方向に延在する縦刈刃装置を設けることもできる。また、刈取前処理装置５は、フィーダハウス５Ａの後部の左右方向の軸心まわりに昇降可能に設けられている。
【００２０】
フィーダハウス５Ａは、オーガ装置５Ｂによって搬送された稲、麦、大豆、そば等の穀稈を脱穀装置４に搬送する装置であり、オーガ装置５Ｂと脱穀装置４の間に設けられている。
【００２１】
オーガ装置５Ｂは、掻込み装置５Ｄで掻込まれた穀稈をオーガ装置５Ｂの後壁に形成された送込口の前側に寄せ集めてフィーダハウス５Ａに引き継ぐ装置であり、フィーダハウス５Ａの前側に設けられ、機体の左右方向の幅と略同一幅に形成されている。
【００２２】
刈刃装置５Ｃは、掻込み装置５Ｄで掻込まれた穀稈の株元を切断する装置であり、オーガ装置５Ｂの下壁の前端部に設けられ、側面視において前側から後側に緩やかに後上がり傾斜して形成されている。
【００２３】
掻込み装置５Ｄは、倒伏した穀稈、大豆やそば等の丈の低い穀稈、油菜や菜の花等の丈の高い穀稈をオーガ装置５Ｂに掻込む装置であり、オーガ装置５Ｂの上側に設けられ、オーガ装置５Ｂの左右方向の幅と略同一幅に形成されている。
【００２４】
図４に示すように、刈取前処理装置５は、フィーダハウス５Ａの後部の左壁の左側に立設した支持部材（請求項における「第１支持部材」）１１の上下方向の軸心を中心に左右に回動することができる。穀稈を収穫作業時は、刈取前処理装置５は、支持部材１１の軸心に対して時計方向に回動して収納状態として、フィーダハウス５Ａの後部を脱穀装置４の前壁に連結させる。一方、走行ミッション３Ａやエンジン等のメンテナンス作業時には、刈取前処理装置５は、支持部材１１の軸心に対して反時計方向に回動して開放状態にして、フィーダハウス５Ａの後部と脱穀装置４の前壁の連結を解除する。これにより、メンテナンス作業時には、フィーダハウス５Ａと操縦部８の間に広い作業スペースを確保することができ走行ミッション３Ａやエンジン等のメンテナンスを容易に行うことができる。
【００２５】
次に、刈取前処理装置５を回動させる刈取前処理装置５のフィーダハウス５Ａの支持機構について説明する。
【００２６】
図５〜７に示すように、フィーダハウス５Ａの後部の左壁は、支持部材１１の上部に固定され、フィーダハウス５Ａの後部の左壁は、支持部材（請求項における「第２支持部材」）１５の上部に固定されている。支持部材１１は、機体フレーム２に固定された綱板等のフランジ１２から上側に向かって立設する丸鋼等からなる内支柱１３と、ベアリング（図示省略）を介して内支柱１３に外嵌された丸綱管等からなる外筒支柱１４から形成されている。支持部材１５は、機体フレーム２の上面を転がるローラ１６と、ローラ１６を回転自在に支持する左右方向に延在する支軸１７の両側部を支持する反Ｕ字状に形成されたブラケット１８と、ブラケット１８から上側に向かって立設する丸鋼等からなる支柱１９から形成されている。これにより、刈取前処理装置５の時計・反時計方向の回動時には、機体フレーム２の上面に支持部材１５の下部に設けられたローラ１６を転がさせながら回動することができ、刈取前処理装置５の時計・反時計方向の回動を容易に行うことができる。なお、支柱１９の上部には、脱穀装置４の前壁に設けられたロックピン（図示省略）と係合するロック部１９Ａが設けられており、油圧チューブ、電線等は、支持部材１１の近傍まで延在した後に、支持部材１１を周回して設けられている。また、フィーダハウス５Ａの後部は、支持部材１１と支持部材１５の間に設けた左右方向を向く入力軸１０により、回動自在に支持されており、これによって、刈取前処理装置５は、後述する油圧シリンダ２２の伸縮で上下に昇降することができる。
【００２７】
支持部材１１の外筒支柱１４の下部と支持部材１５の支柱１９の下部は、丸鋼等からなる連結棒２０が横設されている。これにより、支持部材１１と支持部材１５の剛性が高まり、支持部材１１と支持部材１５の変形を防止することができる。
【００２８】
連結部２０における正面視において刈取前処理装置５を昇降移動させる油圧シリンダ（請求項における「シリンダ」）２２の右側に隣接する部位には、刈取前処理装置５の時計・反時計方向の回動時にフィーダハウス５Ａの下壁を支持する丸鋼等からなる支持棒２４の下部が係合する係合部２１が設けられている。
【００２９】
フィーダハウス５Ａの中間部の下壁には、支持棒２４の上部を回転自在に支持する中間支持部２５Ｂが設けられ、フィーダハウス５Ａの前部の下壁には、刈取前処理装置５の収納時に支持棒２４の下部を係合させる前支持部２５Ａが設けられている。また、フィーダハウス５Ａの後部の下壁には、刈取前処理装置５の時計・反時計方向の回動時又は開放時に油圧シリンダ２２の後部を係合させる後支持部２５Ｃが設けられている。なお、刈取前処理装置５の収納時には、油圧シリンダ２２の前部は、フィーダハウス５Ａの前部の下壁における前支持部２５Ａのみ左側に隣接する部位に設けられた前連結部２７に連結され、油圧シリンダ２２の後部は、機体フレーム２における側面視において支持部材１１に隣接した部位に設けられた後連結部２８に連結されている。
【００３０】
次に、刈取前処理装置５を収納状態から開放状態に変更する手順について説明する。
【００３１】
刈取前処理装置５の収納時には、フィーダハウス５Ａの後部は脱穀装置４の前壁に連結され、油圧シリンダ２２の前部は前連結部２７に連結され、油圧シリンダ２２の後部は後連結部２８に連結されている。一方、支持棒２４の上部は中間支持部２５Ｂに支持され、支持棒２４の下部は前支持部２５Ａに係合されている。これにより、刈取前処理装置５によって収穫された穀稈を脱穀装置４に搬送して脱穀・選別処理でき、また、油圧シリンダ２２を駆動して刈取前処理装置５を昇降することができる。
【００３２】
刈取前処理装置５の時計・反時計方向の回動時又は開放時には、支持棒２４の上部は中間支持部２５Ｂに支持し、支持棒２４の下部は係合部２１に係合する。これにより、油圧シリンダ２２に換えて支持棒２４によりフィーダハウス５Ａの下壁を支持することができフィーダハウス５Ａの変形を防止して刈取前処理装置５の時計・反時計方向の回動を容易に行うことができる。
【００３３】
油圧シリンダ２２の前部は前連結部２７に連結し、油圧シリンダ２２の後部は後支持部２５Ｃに係合して、油圧シリンダ２２をフィーダハウス５Ａの下壁の下側に沿って仮止めする。これにより、刈取前処理装置５の時計・反時計方向の回動時に、油圧シリンダ２２が障害になることを防止することができる。
【００３４】
脱穀装置４のロックピンと支持部材１５のロック部の係合を解除して、刈取前処理装置５をフィーダハウス５Ａの後部の左壁に固定されている支持部材１１を中心に回動させる。これにより、フィーダハウス５Ａと操縦部８の間に広い作業スペースを確保することができ走行ミッション３Ａやエンジン等のメンテナンスを容易に行うことができる。
【００３５】
次に、刈取前処理装置５を回動させる刈取前処理装置５のフィーダハウス５Ａの他の支持機構について説明する。なお、同一部材には、同一符号を付して説明を省略する。
【００３６】
フィーダハウス５Ａの中間部の下壁には、第１支持部３１の上部を回転自在に支持する中間支持部３５Ｂが設けられ、フィーダハウス５Ａの後端部の下壁には、刈取前処理装置５の収納時に第１支持部３１の下部を係合させる後端支持部３５Ｄが設けられている。また、フィーダハウス５Ａの後部の下壁には、刈取前処理装置５の時計・反時計方向の回動時又は開放時に油圧シリンダ２２の後部を係合させる後支持部３５Ｃが設けられている。
【００３７】
支持部材１１の外筒支柱１４の下部には、第２支持部３２の上部を回転自在に支持する下支持部３６Ａが設けられ、外筒支柱１４の上部には、刈取前処理装置５の収納時に第２支持部３２の下部を係合させる上支持部３６Ｂが設けられている。
【００３８】
第１支持部３１は、左支持棒４１と、右支持棒４２と、左支持棒４１の下部と右支持棒４２の下部を連結する連結棒４３とから構成されており、連結棒４３の左部には、一対の挟持プレート４４が設けられ、一対の挟持プレート４４，４４の間には、ローラ４５が設けられている。これにより、刈取前処理装置５の時計・反時計方向の回動時には、機体フレーム２の上面に第１支持部３１の連結棒４３に設けられたローラ４５を転がさせながら回動することができ、刈取前処理装置５の時計・反時計方向の回動を容易に行うことができる。
【００３９】
第２支持部３２は、左支持棒５１と右支持棒５２から構成され、右支持棒５２の下部には、反Ｕ字状に形成されたブラケット５３が設けられている。刈取前処理装置５の時計・反時計方向の回動時には、第１支持部３１の左支持棒４１の下部に形成された係合孔（図示省略）と第２支持部３２の左支持棒５１の下部に形成された貫通穴（図示省略）にピン５４を挿通して、第１支持部３１の左支持棒４１の下部と第２支持部３２の左支持棒５１の下部を連結する。また、第１支持部３１の右支持棒４２の下部に形成された係合孔（図示省略）と第２支持部３２のブラケット５３に形成された貫通穴（図示省略）にピン５５を挿通して、第１支持部３１の右支持棒４２の下部と第２支持部３２の右支持棒５１の下部を連結する。
【００４０】
次に、刈取前処理装置５を収納状態から開放状態に変更する手順について説明する。
【００４１】
刈取前処理装置５の収納時には、フィーダハウス５Ａの後部は脱穀装置４の前壁に連結され、油圧シリンダ２２の前部は前連結部２７に連結され、油圧シリンダ２２の後部は後連結部２８に連結されている。一方、第１支持棒３１の上部は中間支持部３５Ｂに支持され、第１支持棒３１の連結棒４３は後端支持部３５Ｄに係合され、第２支持部３２の上部は下支持部３６Ａに支持され、第２支持部３２の下部は上支持部３６Ｂに係合されている。これにより、刈取前処理装置５によって収穫された穀稈を脱穀装置４に搬送して脱穀・選別処理でき、また、油圧シリンダ２２を駆動して刈取前処理装置５を昇降することができる。
【００４２】
刈取前処理装置５の時計・反時計方向の回動時又は開放時には、第１支持棒３１の上部を中間支持部３５Ｂの軸心回りに回動させて第１支持棒３１の左支持棒４１と右支持棒４２を中間支持部３５Ｂから下側に向かって延在させて連結棒４３に設けられたローラ４５を機体フレーム２の上面に位置させる。次に、第２支持部３２の上部を下支持部３６Ａの上部を下支持部３６Ａの軸心回りに回動させて第２支持部３２の左支持棒５１と右支持棒５２の下部を、第１支持棒３１の左支持棒４１と右支持棒４２に連結させる。これにより、油圧シリンダ２２に換えて第１支持棒３１と第２支持部３２によりフィーダハウス５Ａの下壁の左右両側を支持することができフィーダハウス５Ａの変形をより防止して刈取前処理装置５の時計・反時計方向の回動を容易に行うことができる。
【００４３】
油圧シリンダ２２の前部は前連結部２７に連結し、油圧シリンダ２２の後部は後支持部３５Ｃに係合して、油圧シリンダ２２をフィーダハウス５Ａの下壁の下側に沿って仮止めする。これにより、刈取前処理装置５の時計・反時計方向の回動時に、油圧シリンダ２２が障害になることを防止することができる。
【００４４】
脱穀装置４のロックピンと支持部材１５のロック部の係合を解除して、刈取前処理装置５をフィーダハウス５Ａの後部の左壁に固定されている支持部材１１を中心に回動させる。これにより、フィーダハウス５Ａと操縦部８の間に広い作業スペースを確保することができ走行ミッション３Ａやエンジン等のメンテナンスを容易に行うことができる。
【００４５】
＜グレンタンク＞
脱穀装置４によって脱穀・選別処理された穀粒は、脱穀装置４の下部とグレンタンク６の上部を連結する揚穀装置（図示省略）によってグレンタンク６に揚穀される。
【００４６】
図１１〜１３に示すように、グレンタンク６は、上部の略長方体形状のタンク部６０と、下部の略四角錐形状の漏斗部６１から形成されている。
【００４７】
漏斗部６１の前壁６１Ａは、前壁６１Ａの上部から後下側に向かって延在し、後壁６１Ｂは、後壁６１Ｂの上部から前下側に向かって延在し、左壁６１Ｃは、左壁６１Ｃの上部から右下側に向かって延在し、右壁６１Ｄは、右壁６１Ｄの上部から左下側に向かって延在している。漏斗部６１を下側に頂部を有する略四角錐形状することにより、漏斗部６１内での穀粒の停滞を防止して、漏斗部６１の下側に設けられた繰出装置６５に穀粒をスムーズに繰り出すことができる。  
【００４８】
繰出装置６５に繰り出された穀粒は、繰出装置６５によって所定の量に区分けされて繰出装置６５の下側に設けられた搬送筒６９に繰り出される。搬送筒６９の前部は、樹脂製の前ホース７１を介して漏斗部６１の前壁６１Ａの前側に設けられた送風装置６８のブロア６８Ａの排気口に接続され、搬送筒６９の後部は、樹脂製の下ホース７２を介して揚穀用排出筒７Ａを形成する鋼管製の縦筒７３の下部に接続されている。
【００４９】
＜排出筒＞
図１１に示すように、排出筒７は、グレンタンク６の後側に立設された揚穀用排出筒７Ａと、脱穀装置４とグレンタンク６の上側に横設された排出用排出筒７Ｂから形成されている。
【００５０】
揚穀用排出筒７Ａを形成する縦筒７３の上部は、タンク部６０の後壁から後側に向かって延在する支持部材８０に回転自在に支持され、縦筒７３の下部には、モータ（図示省略）によって回動させられるプレート７３Ａが固定されている。
【００５１】
プレート７３Ａの下面に形成された円周状の溝には、下ホース７２が挿通された下ガイドカバー８１の上端部に形成された円周上の凸部が遊嵌され、縦筒７３の下部と下ホース７２は、Ｏリング等のシール部材を介して回転自在に接続されている。これにより、モータを駆動して揚穀用排出筒７Ａの上下方向の軸心を中心として揚穀用排出筒７Ａを回動させることができる。
【００５２】
縦筒７３の上部の前部には、油圧シリンダ８６を装着するブラケット８２が設けられ、縦筒７３の上部の後部には、上下方向に延在する連結部材８３が設けられている。また、連結部材８３の上部には、上ガイドカバー８４の下部の後部を揺動自在に支持に支持する左右方向に延在する支軸８５が設けられている。
【００５３】
上ガイドカバー８４の前部には、排出用排出筒７Ｂを形成する後側内筒７５の後部が固定され、上ガイドカバー８４の内周部には、縦筒７３の上部と後側内筒７５の後部を接続する上ホース７４が挿通されている。また、上ガイドカバー８４の下部の前部には、油圧シリンダ８６の先端部が接続されている。これにより、油圧シリンダ８６を駆動して支軸８５を中心として上ガイドカバー８４を上下方向に移動させて排出用排出筒７Ｂの前部を上下方向に移動させることができる。
【００５４】
排出用排出筒７Ｂは、前後方向に延在する鋼管製の後側内筒７５と、後側内筒７５の外周部に外嵌され、前後方向に延在する鋼管製の前側外筒７６から形成されている。
【００５５】
後側内筒７５と前側外筒７６の上側には、伸縮駆動装置７８が設けられている。伸縮駆動装置７８は、前後方向に延在するケース７８Ａの後部に装着したモータ７８Ｂによってケース７８Ａ内を前後方向に移動体７８Ｃを移動させる装置である。伸縮駆動装置７８の後部は、ブラケット７８Ｄを介して後側内筒７５の外周部の後部に固定され、移動体７８Ｃは、前側外筒７６の外周部の後部に固定されている。これにより、モータ７８Ｂを駆動して移動体７８Ｃを前後方向に移動させて前側外筒７６を後側内筒７５に対して前後方向に移動させることができる。なお、前側外筒７６の前部には、穀粒の排出方向を調整する排出装置７７が設けられている。
【００５６】
排出筒７の内部の穀粒の滞留状況を検出するために、揚穀用排出筒７Ａの下部と上部及び排出用排出筒７Ｂの後部と前部に圧力計等の検出計設け、揚穀用排出筒７Ａと排出用排出筒７Ｂの内部に多くの穀粒が滞留して各検出計の検出値が所定以上の差圧を示した場合には、送風装置６８のブロア６８Ａを停止させるのが好ましい。これにより、エンジンの駆動をブロア６８Ａに伝動するベルト（図示省略）の焼き切れを防止することができる。
【００５７】
穀粒を外部に排出する効率を高めるために、排出筒７の揚穀用排出筒７Ａと搬送筒６９の内部に搬送螺旋を設けることができる。この場合、搬出螺旋の外径を搬出螺旋の外周部と揚穀用排出筒７Ａの内周部の間を大豆が通過できる寸法に設定するのが好ましい。
【産業上の利用可能性】
【００５８】
本発明は、汎用コンバインの刈取前処理装置を収納状態と開放状態に変更する開閉機構に利用できるものである。
【符号の説明】
【００５９】
２        機体フレーム
４        脱穀装置
５        刈取前処理装置
５Ａ      フィーダハウス
８        操縦部
１１      支持部材（第１支持部材）
１２      フランジ
１３      内支柱
１４      外筒支柱
１５      支持部材（第２支持部材）
１６      ローラ
１９Ａ    ロック部
２０      連結棒
２１      係合部
２２      油圧シリンダ（シリンダ）
２４      支持棒
２５Ａ    前支持部
２５Ｂ    中間支持部
２５Ｃ    後支持部
２７      前連結部
２８      後連結部
【図１】
2017060415.tif 000003
【図２】
2017060415.tif 000004
【図３】
2017060415.tif 000005
【図４】
2017060415.tif 000006
【図５】
2017060415.tif 000007
【図６】
2017060415.tif 000008
【図７】
2017060415.tif 000009
【図８】
2017060415.tif 000010
【図９】
2017060415.tif 000011
【図１０】
2017060415.tif 000012
【図１１】
2017060415.tif 000013
【図１２】
2017060415.tif 000014
【図１３】
2017060415.tif 000015